(57)【要約】【課題】通信端末装置を制御する情報を圧力センサエレメントから入力可能とする。【解決手段】当該の通信端末装置の内部にメモリを備えた制御ユニットが設けられており、このメモリは当該の通信端末装置の機能のメニュー制御のためのデータ内容、特に種々のメニューポイントおよびこのメニューポイントに属する制御命令を含んでおり、所定の表面での運動によって認識された記号により、当該の通信端末装置のメニューポイントの変更、置換または追加が制御される。【選択図】図２
2010015585.tif 000002
【特許請求の範囲】
【請求項１】
情報入力装置（１４０）および記号認識ユニット（２４０）を備えており、
認識すべき記号に相応する第２のデータが設けられており、
前記情報入力装置は圧力ピックアップ素子（２２０）と共働する少なくとも１つの圧力センサエレメント（２０１，２０２，２０３）を有しており、該少なくとも１つの圧力センサエレメントは所定の表面で前記圧力ピックアップ素子の運動を検出可能であり、検出された運動が前記記号認識ユニットにより記号情報（５５０）へ変換されて前記所定の表面での書き込みが行われる、
通信端末装置（１０）において、
当該の通信端末装置の内部にメモリ（１９２）を備えた制御ユニット（１９０）が設けられており、
前記メモリは当該の通信端末装置の機能のメニュー制御のためのデータ内容、例えば種々のメニューポイントおよび該メニューポイントに属する制御命令を含んでおり、
前記所定の表面での運動によって認識された記号により、当該の通信端末装置のメニューポイントの変更、置換または追加が制御される
ことを特徴とする通信端末装置。
【請求項２】
記号認識ユニット（２４０）は例えば英数字記号の認識のために設けられており、少なくとも１つの圧力センサエレメント（２０１、２０２、２０３）によって検出された圧力ピックアップ素子（２２０）の運動が前記記号認識ユニット（２４０）により記号情報（５５０）へ変換される、請求項１記載の通信端末装置。
【請求項３】
通信端末装置（１０）は送信装置（１６０）を有しており、該送信装置を介して信号を記号情報に依存して送信可能である、請求項１記載の通信端末装置。
【請求項４】
通信端末装置（１０）は再生装置（１２０）を有しており、情報入力装置（１４０）は確認応答装置（１４２）例えばキーを有しており、入力された記号情報（５５０）は再生装置（１２０）によって例えば光学的および／または音響的に表示可能であり、前記確認応答装置（１４２）により補正可能である、請求項１から３までのいずれか１項記載の通信端末装置。
【請求項５】
圧力ピックアップ素子（２２０）はスタイラス（２２２）として構成されている、請求項１から４までのいずれか１項記載の通信端末装置。
【請求項６】
通信端末装置（１０）の入力機能および操作機能は記号情報（５５０）に依存して、例えばメニューにより制御されて活性化可能である、請求項１から５までのいずれか１項記載の通信端末装置。
【請求項７】
記号情報（５５０）に依存して無線モード、例えば音声通信用および／またはショートメッセージないしＳＭＳメッセージの交換用の無線モードを活性化可能であり、同様に記号情報（５５０）に依存して例えば電話番号入力のために駆動可能である、請求項１から６までのいずれか１項記載の通信端末装置。
【請求項８】
記号情報（５５０）に依存してメモリモードを活性化可能であり、同様に記号情報（５５０）に依存して例えば電話帳エントリおよび／またはメモ帳エントリのメモリ（１９２）入力のために駆動可能である、請求項１から７までのいずれか１項記載の通信端末装置。
【請求項９】
記号情報（５５０）に依存して計算機モードを活性化可能ないし駆動可能であり、記号情報（５５０）は通信端末装置（１０）内で処理可能であり、計算結果は再生装置を介して表示可能である、請求項１から８までのいずれか１項記載の通信端末装置。
【請求項１０】
記号情報（５５０）に依存してアラーム時計モードを活性化可能ないし駆動可能である、請求項１から９までのいずれか１項記載の通信端末装置。
【請求項１１】
データインタフェース例えば赤外線インタフェースがデータ伝送のために設けられている、請求項１から１０までのいずれか１項記載の通信端末装置。
【発明の詳細な説明】
【技術分野】
【０００１】
本発明は通信端末装置に関する。
【背景技術】
【０００２】
一般に通信端末装置、特に移動電話は周知であり、これらはケーシング外面にキー、特に英数字キーボードを備えている。
【発明の概要】
【発明が解決しようとする課題】
【０００３】
本発明の課題は、通信端末装置を制御する情報を圧力センサエレメントから入力可能とすることである。
【課題を解決するための手段】
【０００４】
この課題は、当該の通信端末装置の内部にメモリを備えた制御ユニットが設けられており、このメモリは当該の通信端末装置の機能のメニュー制御のためのデータ内容、特に種々のメニューポイントおよびこのメニューポイントに属する制御命令を含んでおり、所定の表面での運動によって認識された記号により、当該の通信端末装置のメニューポイントの変更、置換または追加が制御されることによって解決される。
【図面の簡単な説明】
【０００５】
【図１】通信端末装置のブロック回路図である。
【図２】通信端末装置の斜視図である。
【図３】圧力ピックアップ素子の平面図である。
【図４】圧力ピックアップ素子の断面図である。
【図５】記号認識に対するフローチャートである。
【図６】記号認識ユニットのブロック回路図である。
【発明を実施するための形態】
【０００６】
本発明の通信端末装置は、従来の技術に対して、通信端末装置を制御する情報を圧力センサエレメントを介して入力可能であり、このため情報入力キーを少なくとも部分的に省略できる利点を有する。これにより通信端末装置の構造をより小さくすることができる。さらに情報入力キーの省略によりコストが節約され、製造の手間も簡単化される。さらに通信端末装置の重量も低減される。
【０００７】
従属請求項に記載された手段から本発明の請求項１に記載された通信端末装置の有利な実施形態および改善形態が得られる。
【０００８】
特に有利には、記号認識ユニット、特に英数字記号を認識する記号認識ユニットが設けられており、このユニットは圧力センサエレメントと共働して任意のテキスト記号の入力を行う。
【０００９】
さらに有利には、通信端末装置は送信装置を有しており、この送信装置を介して記号情報に依存して信号を送信可能である。これにより送信がユーザの書き癖に適合され、書き込み過程を介して通信端末装置へ入力された記号のプロトコル化が可能となる。
【００１０】
さらに有利には、通信端末装置は再生装置および確認応答装置（ＡＣＫ装置）を有している。これにより圧力センサエレメントを介して記号認識ユニットへ入力された記号を補正可能であり、例えばユーザによる入力情報の補正は例えば誤って入力された記号の補正のみに限定される。
【００１１】
さらに有利には、圧力センサエレメントはスタイラスとして構成されており、書き込み過程での入力は自動的に行われる。
【００１２】
さらに有利には、通信端末装置の入力機能および操作機能は記号情報に依存して、特にメニュー制御されて活性化される。これにより通信端末装置の全機能を簡単かつ直観的に利用することができる。
【００１３】
さらに有利には、入力された記号情報に依存してメモリモードを活性化可能であり、このメモリモードは例えば電話帳またはメモ帳のエントリを行うために通信端末装置のメモリに設けられている。これにより有利には通信端末装置の付加的な利用可能性、特にアドレス帳および／またはスケジュールカレンダとして利用可能性が得られる。
【００１４】
さらに有利には計算機モードが設けられており、通信端末装置を計算演算の実行に利用することができる。
【００１５】
さらに有利にはアラーム時計モードを活性化可能ないし駆動可能であり、通信端末装置をアラーム時計として利用することができる。
【００１６】
さらに有利にはデータインタフェース特に赤外線インタフェースが通信端末装置に設けられており、これにより例えば他の通信端末装置またはデータ処理装置とのデータ交換が可能となる。
【実施例】
【００１７】
本発明の実施例を図示し、以下に詳細に説明する。
【００１８】
図１には通信端末装置１０のブロック回路図が示されている。通信端末装置１０はワイヤ接続型に構成してもよいし、ワイヤレス型に構成してもよい。ワイヤレス通信端末装置としての構成形態は移動電話やコードレスフォンその他である。通信端末装置１０は情報入力装置１４０および再生装置１２０を有しており、これら２つの装置とも制御ユニット１９０に接続されている。さらに通信端末装置１０は送信装置１６０および受信装置１８０を有しており、これら２つの装置も制御ユニット１９０に接続されている。通信端末装置１０の有利な実施例では、通信端末装置１０と、他の装置例えば第２の通信端末装置１０または他のデータ処理装置との間のデータ交換を行うデータインタフェースが設けられている。データインタフェースそのものは図示されていないが、送信装置１６０はデータを送信するためのデータインタフェースの部分領域を含んでおり、受信装置１８０はデータを受信するデータインタフェースの部分領域を含んでいる。制御ユニット１９０にはメモリ１９２が配属されている。
【００１９】
図２には通信端末装置１０が斜視図で示されている。通信端末装置１０はケーシング１００および圧力ピックアップ素子２２０を有している。この実施例では通信端末装置１０は第１の圧力センサエレメント２０１、第２の圧力センサエレメント２０２、および第３の圧力センサエレメント２０３を含んでいる。通信端末装置１０が表面で行った運動は圧力センサエレメント２０１、２０２、２０３で検出可能である。ここで圧力ピックアップ素子２２０は少なくとも時間的に表面に接する。ここで圧力ピックアップ素子２２０は表面で行使された力を各圧力センサエレメント２０１、２０２、２０３へ伝達する。圧力センサエレメント２０１、２０２、２０３は特に、圧力ピックアップ素子がそれぞれの運動成分を各圧力センサエレメント２０１、２０２、２０３のいずれかへ伝達するように配置されている。第１の圧力センサエレメント２０１および第２の圧力センサエレメント２０２は例えば圧力ピックアップ素子２２０の側方で９０゜オフセットされて配置されており、第３の圧力センサエレメント２０３は圧力ピックアップ素子２２０の第１の端部に配置されている。これにより表面（例えば枚葉紙）上の運動を検出可能である。通信端末装置１０が表面上で行う第１の運動方向への運動は第１の圧力センサエレメント２０１のみによって検出することもできるし、または第１の圧力センサエレメント２０１と第２の圧力センサエレメント２０２との第１の比によって検出することもできる。通信端末装置１０の第２の運動方向への運動は第１の運動方向に対して所定の角度だけ（特に９０゜）回転された運動であり、第２の圧力センサエレメント２０２のみによって検出することもできるし、または第１の圧力センサエレメント２０１および第２の圧力センサエレメント２０２の第２の比によって検出することもできる。通信端末装置１０の表面への押圧運動は第３の圧力センサエレメント２０３により検出される。
【００２０】
図２には例として圧力ピックアップ素子２２０の第１の実施例が示されている。圧力ピックアップ素子２２０の第１の端部に対向する第２の端部はスタイラス２２２として構成されており、例えばボールペン状または類似の形態をとっている。これは通信端末装置１０が例えば所定の表面での手書き画像のかたちで行われた運動を記録できるように構成されている。描かれた記号は表面、特に紙の表面その他に描かれた記号は可視であり、これにより確実かつ被制御の情報入力が可能となる。
【００２１】
通信端末装置１０の有利な実施例では、圧力ピックアップ素子２２０は特に書き込み用流動体（Schreibfluessigkeit）その他を収容するリザーバを有している。収容部２２４を介して圧力ピックアップ素子２２０は通信端末装置１０のケーシング１００に係止される。圧力ピックアップ素子２２０の第２の端部では圧力センサエレメント２０１、２０２、２０３がスタイラス２２２で把持されて圧力ピックアップ素子２２０から伝達される力を記録する。この実施例では通信端末装置１０は例えばボールペン、ペンシルその他として構成されている。圧力ピックアップ素子は特にボールペン、フェルトペンその他の芯から成っており、書き込みヘッドの機能を果たすスタイラス部２２２を有している。圧力センサエレメント２０１、２０２、２０３を介した通信端末装置１０への情報入力は、例として説明したこの実施例によれば、ユーザが通信端末装置１０をボールペンで例えば紙の表面などの上に記号を書くときのように動かすことにより行われる。通信端末装置１０が書き込みの際に表面で行った運動が検出され、上述のようにして情報入力に利用される。したがって、直接に加えるべき制御命令、例えば"コール１２３４５"、"電話帳Ｐｅｔｅｒ：１２３４５"、"コールＰｅｔｅｒ"その他を書き込むことにより、通信端末装置１０を制御することができる。
【００２２】
再生装置１２０は表示素子１２２、例えばＬＣＤディスプレイとレシーバカプセル１２４とを有している。入力装置１４０は確認応答装置特にキー１４２と、マイクロフォン１４４とを有している。
【００２３】
再生装置１２０および入力装置１４０は特に通信端末装置１０の容易かつ簡単な操作が一方では通信端末装置１０への記号識別部を介した情報入力の観点から可能となるように、また他方では通信端末装置１０の別の操作機能、例えば通信などが可能となるように配置される。このためにこの実施例では確認応答装置１４２が圧力ピックアップ素子２２０と表示素子１２２との間の領域に配置されており、ユーザは容易に情報入力の補正を行うことができる。さらにこの実施例ではマイクロフォン１４４が例えば圧力ピックアップ素子２２０の領域に配置されており、またレシーバカプセル１２４が通信端末装置１０の対向する端部に配置されている。これにより通信端末装置１０の電話機としての操作は簡単化される。なぜならユーザの口および耳を容易に相応の入力装置ないし再生装置へ近づけることができるからである。
【００２４】
図３には通信端末装置１０が平面図で示されており、図４には図３の切断線Ａ−Ｂに沿って切断した断面図が示されている。圧力ピックアップ素子２２１は図３、図４では第２の実施例としてボール状（球状）に構成されている。第２の実施例の収容部２２５は圧力ピックアップ素子２２１をケーシング１００内で係止している。通信端末装置１０の表面上で運動が行われ、圧力ピックアップ素子２２１が表面に接する場合、圧力ピックアップ素子２２１上の表面に圧力ピックアップ素子２２１から圧力センサエレメント２０１、２０２、２０３へ送出される力が作用する。圧力センサエレメント２０１、２０２、２０３の配置のしかたにより、それぞれの運動成分に属する力ないし圧力情報が図２について説明した場合と同様に記録される。
【００２５】
通信端末装置１０は必ずしもボールペン状ないしペンシル状に構成しなくてもよい。例えば通信端末装置１０を移動電話（携帯電話）のかたちに構成して、特に移動電話の角部または湾曲部に圧力ピックアップ素子２２０、２２１が配置されるように構成することもできる。圧力ピックアップ素子２２０、２２１は例えば滑り運動可能であり、書き込み用流動体が通信端末装置１０への圧力センサエレメント２０１、２０２、２０３を介した情報入力時のみに圧力ピックアップ素子２２０、２２１から流出するように構成できる。また圧力ピックアップ素子２２０、２２１は固定に配置することもできるし、通信端末装置１０において開放状態で、またはカバー装置によりカバーされた状態で配置することができる。
【００２６】
図５には通信端末装置１０における記号認識のフローチャートが示されている。通信端末装置１０の表面での運動により生じる圧力ピックアップ素子２２０、２２１への力の作用は圧力ピックアップ素子２２０、２２１から圧力センサエレメント２００へ伝達される。圧力センサエレメント２００（２０１、２０２、２０３）はこの力の情報５００を信号５２０、特に電気信号へ変換する。圧力センサエレメント２０１、２０２、２０３は記号認識ユニット２４０へ接続されており、信号５２０は記号認識ユニット２４０へ供給される。記号認識ユニットは信号５２０を記号情報５５０へ変換する。
【００２７】
図６には信号情報５２０を記号情報５５０へ変換するブロック回路図が示されている。記号認識ユニット２４０はディジタルアナログ変換ユニット２４１を有しており、この変換ユニットは中央ユニット２４４に接続されている。中央ユニットへは標準化ユニット２４２および識別ユニット２４３が接続されている。さらに中央ユニット２４４は確認応答装置１４２に接続されている。
【００２８】
通信端末装置１０の表面での運動の後、記号認識ユニット２４０によって受信された信号５２０はまずアナログディジタル変換ユニット２４１でディジタル化され、第１のデータが形成される。標準化ユニット２４２は第２のデータを有しており、この第２のデータは認識すべき記号に相応し、第１のデータと識別ユニット２４３内で比較される。ここで信号情報５２０に依存して最も確率の高い第１の記号が所定量の可能な第１の記号群から選択される。最も確率の高い第１の記号は記号情報５５０として記号認識ユニット２４０から通信端末装置１０の制御ユニット１９０へ供給される。
【００２９】
通信端末装置１０の別の有利な実施形態では、第２のデータは変更可能ないし拡張可能である。すなわち一方では第１の記号を選択する所定量の可能な第１の記号群をランダム選択される第１の記号群に置換することができ、および／または他方ではランダム選択される第１の記号群を所定量の第１の可能な記号群に付加することができる。
【００３０】
確認応答装置１４２により、識別ユニット２４３における第１の記号の認識を制御することができる。第１の補正手段を用いれば、誤って認識された第１の記号と所定量の可能な第１の記号群からの第２の記号とを置換することができる。第２の補正手段を用いれば、第１の補正手段を反復的に適用したけれども効果がないという場合でも、認識すべき第３の記号を完全に新たに入力可能である。これは通信端末装置を用いて第３の記号に相応する表面での運動を行うことにより達成される。
【００３１】
記号認識ユニット２４０を介して認識された記号情報５５０は制御ユニット１９０へ供給され、通信端末装置１０が制御される。
【００３２】
記号情報５５０に依存して制御ユニットは再生装置１２０、送信装置１６０、および／または受信装置１８０を活性化する。
【００３３】
光再生装置ないし音響再生装置１２０として図２には表示素子１２２およびレシーバカプセル１２４の例が示されている。これに代えてまたはこれに加えて、ユーザが触覚を介した再生機能を使用できる触覚形再生装置１２０と見なされる再生装置を設けることもできる。これは特に入力すべき電話番号のシグナリングのための振動装置である。
【００３４】
制御ユニット１９０により再生装置１２０の活性化後、第１の情報が再生可能となり、この第１の情報は第２の情報、第３の情報または第４の情報に依存して形成される。ここで第２の情報は入力装置１４０を介して形成され、特に記号情報を含んでいる。第３の情報はメモリ１９２内に記憶されており、第４の情報は受信装置１８０によって受信される。
【００３５】
表示素子１２２には例えば記号情報５５０の正当性を監視するためにユーザにより記号情報５５０が表示される。同様に計算演算の結果が表示素子１２２に示される。第３の情報、特に記憶された電話帳情報、アドレス帳情報、スケジュールカレンダ情報、および／またはメモ帳情報が表示素子１２２へ表示される。第４の情報、特に受信されたショートメッセージ、例えばＳＭＳショートメッセージも表示素子１２２に表示される。レシーバカプセル１２４では音響信号が聴取可能となり、例えば通信端末装置１０の表面での運動による情報入力の補正に使用される。
【００３６】
さらにレシーバカプセル１２４から、第３の情報（例えば記憶されているスケジュールおよび／またはアラーム時刻を呼び起こす情報）に依存して、および第４の情報（例えば着信したコールのシグナリング情報）に依存して聴取可能となる。さらに情報は複数の再生装置１２０を組み合わせて再生可能である。例えばスケジュールを呼び起こす情報は音響的にレシーバカプセル１２４を介して聴取され、同時にスケジュールの場所やその具体的な内容が表示素子１２２に表示される。
【００３７】
制御ユニット１９０による送信装置１６０の活性化後、第５の情報が第２の情報（特に記号情報）、第３の情報および／または第４の情報に依存して送信される。記号情報５５０に依存して例えばコール信号が第２の通信端末装置１へ送信され、これにより例えば通話が開始されるかまたは加入者にショートメッセージの送信がシグナリングされる。第５の情報は第３の情報に依存して送信してもよい。例えば第２の通信端末装置へのコールは予め記憶された時点で送信することができる。第４の情報、例えばショートメッセージの伝送のために第２の通信端末装置で受信された制御情報に依存して、第５の情報が第３の通信端末装置へ送信される。
【００３８】
通信端末装置１０の有利な実施例では、制御ユニット１９０に配属されたメモリ１９２は通信端末装置１０の機能のメニュー制御に対する内容、特に種々のメニューポイントおよびこれに属する制御命令を含んでいる。メニュー内容および再生装置１２０（特に表示装置１２２）への表示は固定ないし不変に組み込まれていてもよいし、および／またはプログラミング可能ないし可変に構成されてもよい。メニューポイントの変更、置換または付加は第２の情報（特に記号情報５５０）または第４の情報に依存して行われる。
【００３９】
通信端末装置１０の別の有利な実施例では、送信装置１６０および受信装置１８０がワイヤレス通信、特にＧＳＭ規格にしたがった通信を駆動可能であるように構成されている。特に通信端末装置１０は音声通信および／またはショートメッセージ（ＳＭＳショートメッセージ）の交換に対して駆動可能である。
【００４０】
通信端末装置１０の別の有利な実施例では、制御ユニット１９０に配属されたメモリ１９２はユーザの個人データに割り当てるためのメモリ容量を有しており、これは特にアドレス帳データ、電話帳データ、スケジュールデータおよび／またはメモ帳データとして使用される。
【００４１】
通信端末装置１０は有利な別の実施例では、制御ユニット１９０に配属された計算ユニットを有しており、この計算ユニットを用いて計算演算が通信端末装置１０の計算機モードで実行される。
【００４２】
別の実施例では通信端末装置１０は時計を有しており、この時計は制御ユニット１９０に配属されたメモリ１９２と共働して、通信端末装置１０の機能を第３の情報に依存して所定の時点、例えば記憶されたスケジュール時点および／またはアラーム起動時点で活性化する。
【符号の説明】
【００４３】
１０  通信端末装置、  １２０  再生装置、  １４０  情報入力装置、  １６０  送信装置、  １８０  受信装置、  １９０  制御ユニット、  １９２  メモリ、  １００  ケーシング、  １２２  表示素子、  １２４  レシーバカプセル、  １４２  キー、  １４４  マイクロフォン、  ２００；２０１〜２０３  圧力センサエレメント、  ２２０  圧力ピックアップ素子、  ２２２  スタイラス、  ２２４，２２５  収容部、  ５００  情報、  ５２０  信号、  ５５０  記号情報、  ２４１  変換ユニット、  ２４２  標準化ユニット、  ２４３  識別ユニット、  ２４４  中央ユニット
【図１】
2010015585.tif 000003
【図２】
2010015585.tif 000004
【図３】
2010015585.tif 000005
【図４】
2010015585.tif 000006
【図５】
2010015585.tif 000007
【図６】
2010015585.tif 000008